(57)【要約】【課題】追加的な他の部品を用いることなく且つ組み付けの固定具合を十分に確保して椅子を構成する部材の少なくとも一部を露出させないようにカバーを取り付けることができるようにする。【解決手段】背枠３の背枠固定部３Ｂの前面に上側部分の左右方向における中間部分が押し当てられ且つ上端の左右両端部の上側係止部１３，１３が背枠３の下枠フレーム３ｅの後面側へと回り込んで係止して弾性力を発揮すると共に背枠３と連結する背支桿２に下側係止部１４の係止部１４ａが係止して弾性力を発揮して係合する第一のカバー部材１０と、背枠３の背枠固定部３Ｂに対して係止すると共に第一のカバー部材１０との間に背枠３の背枠固定部３Ｂ並びに背支桿２の支持アーム２Ａの湾曲部２ｅ，上側部分２ｆ，及び取付部２Ｃを挟んだ状態で第一のカバー部材１０と嵌合する第二のカバー部材２０とを有するようにした。【選択図】図１
2020062348.tif 000002
【特許請求の範囲】
【請求項１】
椅子の構成部材に対して左右方向に分布する作用点に於いて弾性力を発揮すると共に前後方向に分布する作用点に於いて弾性力を発揮して係合する第一のカバー部材と、前記構成部材に対して係止すると共に前記第一のカバー部材との間に前記構成部材の少なくとも一部を挟んだ状態で前記第一のカバー部材と嵌合する第二のカバー部材とを有することを特徴とする椅子のカバーの取付構造。
【請求項２】
前記第一のカバー部材及び前記第二のカバー部材は樹脂成形品であり、前記構成部材の一方の側の面に左右方向における中間部分が押し当てられ且つ左右両端部が前記構成部材の他方の側の面へと回り込んで係止して弾性力を発揮することを特徴とする請求項１記載の椅子のカバーの取付構造。
【請求項３】
前記構成部材は背凭れを構成する部材であり、前記第一のカバー部材は背凭れ構成部材の下部の前面に上側部分の左右方向における中間部分が押し当てられ且つ上端の左右両端部の突出片が前記背凭れ構成部材の下部の後面側へと回り込んで係止して弾性力を発揮すると共に前記背凭れ構成部材と連結する背支桿に下端部が係止して弾性力を発揮して係合し、前記第二のカバー部材は前記背凭れ構成部材の下部に対して係止すると共に前記第一のカバー部材との間に前記背凭れ構成部材の少なくとも一部及び前記背支桿の少なくとも一部を挟んだ状態で前記第一のカバー部材と嵌合することを特徴とする請求項１記載の椅子のカバーの取付構造。
【請求項４】
請求項１乃至３のうちのいずれか一つに記載の椅子のカバーの取付構造が適用されて背部カバーが取り付けられている背凭れを備えることを特徴とする椅子。
【発明の詳細な説明】
【技術分野】
【０００１】
本発明は、椅子のカバーの取付構造及び椅子に関する。さらに詳述すると、本発明は、椅子の背凭れの背支桿部分にカバーを取り付ける際に適用して好適な構造、及び、そのような構造が適用された構成を含む椅子に関する。
【背景技術】
【０００２】
従来から、背支桿の上端部分に背板が取り付けられて構成される椅子の背凭れが存在する（特許文献１）。
【先行技術文献】
【特許文献】
【０００３】
【特許文献１】特開２００９−１７２１２５号公報
【発明の概要】
【発明が解決しようとする課題】
【０００４】
しかしながら、背支桿や当該背支桿と背板との連結部が椅子全体としての背面側に露出したままでは、背支桿と背板などとの連結部に着衣や指などが挟まれてしまったり、デザイン上好ましいとは言えなかったりするという問題がある。
【０００５】
そこで、椅子全体としての背面側に露出する背支桿を覆い隠すために背部カバーが装着される場合があり、この場合の背部カバーの取り付けの態様として、前カバー部材と後カバー部材とで背支桿を前後方向において挟み、これらカバー部材同士を係合させることによって背支桿に対して係止するようにしたり、これらカバー部材のうちの一方と背支桿とを係合させることによって背支桿に対して係止するようにしたりする場合がある。
【０００６】
しかしながら、カバー部材同士の係合やカバー部材のうちの一方の係合では組み付けの固定具合が十分であるとは言えずにがたつきが発生するという問題があり、また、カバー部材と背支桿とをねじなどの追加的な他の部品を用いて結合する場合には、部品点数が多くなるという問題や、取り付けや組み立ての手間が増大するという問題がある。
【０００７】
そこで、本発明は、追加的な他の部品を用いることなく且つ組み付けの固定具合を十分に確保して椅子を構成する部材の少なくとも一部を露出させないようにカバーを取り付けることができる椅子のカバーの取付構造、及び、そのような椅子のカバーの取付構造が適用された構成を含む椅子を提供することを目的とする。
【課題を解決するための手段】
【０００８】
かかる目的を達成するため、本発明の椅子のカバーの取付構造は、椅子の構成部材に対して左右方向に分布する作用点に於いて弾性力を発揮すると共に前後方向に分布する作用点に於いて弾性力を発揮して係合する第一のカバー部材と、構成部材に対して係止すると共に第一のカバー部材との間に構成部材の少なくとも一部を挟んだ状態で第一のカバー部材と嵌合する第二のカバー部材とを有するようにしている。
【０００９】
本発明の椅子のカバーの取付構造は、第一のカバー部材及び第二のカバー部材は樹脂成形品であり、構成部材の一方の側の面に左右方向における中間部分が押し当てられ且つ左右両端部が構成部材の他方の側の面へと回り込んで係止して弾性力を発揮するようにしても良い。
【００１０】
本発明の椅子のカバーの取付構造は、前記構成部材は背凭れを構成する部材であり、第一のカバー部材は背凭れ構成部材の下部の前面に上側部分の左右方向における中間部分が押し当てられ且つ上端の左右両端部の突出片が背凭れ構成部材の下部の後面側へと回り込んで係止して弾性力を発揮すると共に背凭れ構成部材と連結する背支桿に下端部が係止して弾性力を発揮して係合し、第二のカバー部材は背凭れ構成部材の下部に対して係止すると共に第一のカバー部材との間に背凭れ構成部材の少なくとも一部及び背支桿の少なくとも一部を挟んだ状態で第一のカバー部材と嵌合するようにしても良い。
【００１１】
したがって、上記の椅子のカバーの取付構造によると、椅子の構成部材／背凭れ構成部材と第一のカバー部材と第二のカバー部材とが一体に連結し結合して合体し、相互に確りと固定されてがたつきが発生しないように組み付けられる。
【００１２】
また、本発明の椅子は、上述の椅子のカバーの取付構造が適用されて背部カバーが取り付けられている背凭れを備えるようにしている。したがって、この椅子によると、上述の椅子のカバーの取付構造の作用が奏される椅子が実現される。
【発明の効果】
【００１３】
本発明の椅子のカバーの取付構造や椅子によれば、三つの部材が一体に連結し結合して合体し、相互に確りと固定されてがたつきが発生しないように組み付けることができるので、追加的な部品を用いること無く、椅子を使用する際の快適性の向上や良好な外観の創出が可能になる。
【図面の簡単な説明】
【００１４】
【図１】本発明に係る椅子のカバーの取付構造の実施形態の一例を含む座及び背凭れに関連する構造を示す左前方上方からの一部分解斜視図である。
【図２】図１の構造の左後方下方からの一部分解斜視図である。
【図３】第一のカバー部材の取り付けを説明する左前方上方斜視図である。
【図４】第一のカバー部材の取り付け後の状態を説明する左前方上方斜視図である。
【図５】第一のカバー部材の取り付けを説明する左後方下方斜視図である。
【図６】第一のカバー部材の取り付け後の状態を説明する左後方下方斜視図である。
【図７】第二のカバー部材の取り付けを説明する図である。
【図８】第二のカバー部材の取り付け後の状態を説明する左後方上方斜視図である。
【発明を実施するための形態】
【００１５】
以下、本発明の構成を図面に示す実施の形態の一例に基づいて詳細に説明する。本実施形態では、本発明に係る椅子のカバーの取付構造の実施形態の一例がオフィスなどで使用され得る事務用の椅子の背凭れに関連する構造に対して適用されている場合を例に挙げる。
【００１６】
図１乃至図８に、本発明に係る椅子のカバーの取付構造の実施形態の一例を含む座及び背凭れに関連する構造を示す。なお、本明細書において、前後左右の方向は着座者を中心に定められるものとし、「前」又は「前方」とは座や背凭れにおいて椅子及び当該椅子の座に座った着座者にとっての「前」又は「前向き」であり、「後(うしろ)」又は「後方」とは同様に椅子及び着座者にとっての「後ろ」又は「後ろ向き」である。また、前後方向と水平面内において直交する方向が座や背凭れにおいて椅子及び着座者にとっての左右方向であり、椅子の幅方向である。さらに、「上」及び「下」は座や背凭れにおいて椅子及び着座者にとっての上及び下であり、鉛直面内の上と下である。
【００１７】
本実施形態の椅子のカバーの取付構造が適用されている座及び背凭れに関連する構造は、椅子の脚支柱（図示していない）の上端部分に取り付けられて支持される基部の一部を構成する基部天板フレーム１と、当該基部天板フレーム１の後部に取り付けられる背支桿２と、当該背支桿２の上部に取り付けられる背枠３と、背支桿２と背枠３の下端部分との前側に配設される第一のカバー部材１０及び後ろ側に配設される第二のカバー部材２０と、基部天板フレーム１の上面側に配設される座４とを備える。
【００１８】
背支桿２は、左右方向において相互に離間しつつ対向する一対の支持アーム２Ａ，２Ａと、これら左右一対の支持アーム２Ａ，２Ａの下側（言い換えると、前側）部分同士を連結する板状の背支桿固定部２Ｂと、左右一対の支持アーム２Ａ，２Ａの上側（言い換えると、後ろ側）部分同士を連結する取付部２Ｃとを有する。
【００１９】
支持アーム２Ａは、概ね前後方向に沿う下側部分２ｄ（言い換えると、前側部分）と、概ね上下方向に沿う上側部分２ｆ（言い換えると、後ろ側部分）と、これら下側部分２ｄと上側部分２ｆとを湾曲しつつ結ぶ湾曲部２ｅとからなる。
【００２０】
背支桿２は、左右一対の支持アーム２Ａ，２Ａの下側部分２ｄ同士を連結する背支桿固定部２Ｂが基部天板フレーム１の後端部分に固定されることにより、基部天板フレーム１に対して取り付けられる。図に示す例では、基部天板フレーム１の後端部分に対して背支桿固定部２Ｂがねじ止めされることによって背支桿２が固定されて取り付けられる。
【００２１】
背枠３は、左右枠フレーム３ｃ，３ｃと上枠フレーム３ｄと下枠フレーム３ｅとを有して正面視において概ね矩形に形成されるフレーム部３Ａと、当該フレーム部３Ａの下辺を構成する下枠フレーム３ｅから下方へと延出して設けられる背枠固定部３Ｂとを有する。なお、背枠３のフレーム部３Ａにはメッシュ状の張り部材が張設されるが、当該張り部材の図示を省略している。
【００２２】
背枠３は、下枠フレーム３ｅから下方へと延出する背枠固定部３Ｂが背支桿２の左右一対の支持アーム２Ａ，２Ａの上側部分２ｆ同士を連結する取付部２Ｃに固定されることにより、背支桿２に対して取り付けられる。図に示す例では、背支桿２の取付部２Ｃに対して背枠固定部３Ｂがねじ止めされることによって背枠３が固定されて取り付けられる。
【００２３】
座４は、下面側を構成するアウターシェル４ａと、当該アウターシェル４ａの上面に取り付けられる座受部材４ｂと、当該座受部材４ｂの上面に装着されるクッション４ｃとを有する。なお、座４（特に、クッション４ｃ）は表皮材で被覆されるが、当該表皮材の図示を省略している。
【００２４】
そして、本実施形態の椅子のカバーの取付構造は、背枠３の背枠固定部３Ｂの前面に上側部分の左右方向における中間部分が押し当てられ且つ上端の左右両端部の上側係止部１３，１３が背枠３の下枠フレーム３ｅの後面側へと回り込んで係止して弾性力を発揮すると共に背枠３と連結する背支桿２に下側係止部１４の係止部１４ａが係止して弾性力を発揮して係合する第一のカバー部材１０と、背枠３の背枠固定部３Ｂに対して係止すると共に第一のカバー部材１０との間に背枠３の背枠固定部３Ｂ並びに背支桿２の支持アーム２Ａの湾曲部２ｅ，上側部分２ｆ，及び取付部２Ｃを挟んだ状態で第一のカバー部材１０と嵌合する第二のカバー部材２０とを有するようにしている。
【００２５】
第一のカバー部材１０は、板状の部材が湾曲したり折れ曲がったりした態様の部材であり、弾性を備える部材として樹脂によって形成される。
【００２６】
第一のカバー部材１０は、主要部分を成す前カバー部１１と、当該前カバー部１１の後面に設けられる係合凸部１２と、前カバー部１１の上端に設けられる上側係止部１３と、前カバー部１１の下端に設けられる下側係止部１４とを有する。
【００２７】
第一のカバー部材１０の前カバー部１１は、概ね上下方向を成す上側部分と当該上側部分の下端と連続・連接して前方斜め下向きに延出する下側部分（言い換えると、前側部分）とを有して側面視において湾曲する形状に形成される。
【００２８】
前カバー部１１は、背支桿２の左右一対の支持アーム２Ａ，２Ａの上側部分２ｆ及びこれら上側部分２ｆ同士を連結する取付部２Ｃ並びに背枠３の背枠固定部３Ｂの前面側（尚、当該前面側の左右側方を含む）から背支桿２の左右一対の支持アーム２Ａ，２Ａ各々の湾曲部２ｅ，２ｅの前面側（言い換えると、上面側；尚、当該前面側／上面側の左右側方を含む）にかけての領域を覆うものとして形成される。
【００２９】
図に示す例では、デザイン上の構造として（言い換えると、本発明としての作用を奏させるために必要な構成ではない構造として）、前カバー部１１の下端（言い換えると、前端）の左右両端部のそれぞれから左右方向において相互に離間して前方斜め下向き／前向きに延出する左右一対のサイドカバー部１１ａ，１１ａが形成されている。
【００３０】
係合凸部１２は、前カバー部１１の後面の上端寄りの位置に、左右方向において相互に離間して後ろ向きに突出する左右一対の凸部として形成される。
【００３１】
図に示す例では、左右一対の係合凸部１２，１２は、背支桿２の左右一対の支持アーム２Ａ，２Ａそれぞれ及び背枠３の背枠固定部３Ｂの左右の側方に位置してこれら左右一対の支持アーム２Ａ，２Ａ及び背枠固定部３Ｂを左右方向において挟むように設けられる。
【００３２】
上側係止部１３は、前カバー部１１の上端の左右両端部のそれぞれから、左右方向において相互に離間して上向きに延出する左右一対の突出片として形成される。
【００３３】
なお、上側係止部１３は、前カバー部１１の左右両側端各々の上端部のそれぞれから、側方へと横向きに延出する左右一対の突出片として形成されるようにしても良い。
【００３４】
下側係止部１４は、前カバー部１１の下端の中央部分から、前方斜め下向きに延出する傾斜板部として形成される。下側係止部１４の下端部（言い換えると、前端部）が前向きに屈曲して係止部１４ａが設けられる。
【００３５】
第二のカバー部材２０は、板状の部材が湾曲した態様の部材であり、弾性を備える部材として樹脂によって形成される。
【００３６】
第二のカバー部材２０は、主要部分を成す後カバー部２１と、当該後カバー部２１の前面に設けられる係止爪部２２及び係合凹部２３とを有する。
【００３７】
第二のカバー部材２０の後カバー部２１は、概ね上下方向を成す上側部分と当該上側部分の下端と連続・連接して前方斜め下向きに延出する下側部分（言い換えると、前側部分）とを有して側面視において湾曲する形状に形成される。
【００３８】
後カバー部２１は、背支桿２の左右一対の支持アーム２Ａ，２Ａの上側部分２ｆ及びこれら上側部分２ｆ同士を連結する取付部２Ｃ並びに背枠３の背枠固定部３Ｂの後面側（尚、当該後面側の左右側方を含む）から背支桿２の左右一対の支持アーム２Ａ，２Ａ各々の湾曲部２ｅ，２ｅの後面側（言い換えると、下面側；尚、当該後面側／下面側の左右側方を含む）にかけての領域を覆うものとして形成される。
【００３９】
図に示す例では、デザイン上の構造として（言い換えると、本発明としての作用を奏させるために必要な構成ではない構造として）、後カバー部２１の下端（言い換えると、前端）の左右両端部のそれぞれから左右方向において相互に離間して前方斜め下向き／前向きに延出する左右一対のサイドカバー部２１ａ，２１ａが形成されている。
【００４０】
係止爪部２２は、後カバー部２１の前面の上端部に、前向きに突出してから下向きに屈曲する左右一対の鉤状の突出部として形成される。
【００４１】
係合凹部２３は、後カバー部２１の前面の上端寄りの位置に、左右方向において相互に離間しつつ前向きに突出し、前端部に嵌合開口（言い換えると、前方に向けて開口する溝）を有する左右一対の突出部として形成される。
【００４２】
第一のカバー部材１０と第二のカバー部材２０とは、背支桿２に対して背枠３が固定されて取り付けられた上で、これら第一のカバー部材１０と第二のカバー部材２０との間に背枠３の背枠固定部３Ｂ及び背支桿２を挟んだ状態で組み付けられる。
【００４３】
まず、背支桿２の前方に於いて、第一のカバー部材１０の前カバー部１１の下端から延出する下側係止部１４の前面が背支桿２の背支桿固定部２Ｂの後端に押し当てられる。このとき、下側係止部１４の下端部の係止部１４ａが背支桿固定部２Ｂの下面に掛けられて係止される。
【００４４】
下側係止部１４が背支桿固定部２Ｂに掛けられて係止された状態で、前カバー部１１の後面が背枠３の背枠固定部３Ｂの前面へと押し当てられる。
【００４５】
前カバー部１１が背枠固定部３Ｂの前面へと押し当てられた状態で、前カバー部１１が弾性変形させられ、前カバー部１１の上端から延出／突出する左右一対の上側係止部１３，１３のそれぞれが背枠３の下枠フレーム３ｅの後面側へと回り込ませられる。
【００４６】
この際、例えば、前カバー部１１が弾性変形しつつ上側係止部１３の上端面が下枠フレーム３ｅの下面を摺動しながら上側係止部１３が下枠フレーム３ｅの後面側へと回り込ませられる。そして、上側係止部１３の前面が下枠フレーム３ｅの後面に掛けられて係止される。
【００４７】
図に示す例では、背枠３の下枠フレーム３ｅの後面下端部の、背枠固定部３Ｂの左右端のそれぞれの近傍位置に、第一のカバー部材１０の上側係止部１３を係止させるための凹み３ｆが設けられる。
【００４８】
なお、上側係止部１３が前カバー部１１の左右両側端各々の上端部のそれぞれから側方へと横向きに延出する左右一対の突出片として形成される場合には、これら横向きの突出片が係止し得る形態で背枠３側の凹みが形成される。
【００４９】
上記により、第一のカバー部材１０は、前カバー部１１の左右方向における中間部分（別言すると、左右両端部の上側係止部１３，１３に挟まれる部分）は背枠３の背枠固定部３Ｂの前面側に位置すると共に前カバー部１１の左右両端部の上側係止部１３，１３は背枠３の下枠フレーム３ｅの後面側に位置して係止した状態で、弾性変形が元に戻ろうとする弾性力を発揮しながら背枠３に対して係合する。具体的には、前カバー部１１の左右方向における中間部分に対して左右両端部分が後方へと押し込まれた変形が元に戻ろうとする弾性力が発揮される。
【００５０】
第一のカバー部材１０は、また、下側係止部１４が背支桿２の背支桿固定部２Ｂに掛けられて係止すると共に上側係止部１３が背枠３の下枠フレーム３ｅに掛けられて係止した状態で、弾性変形が元に戻ろうとする弾性力を発揮しながら背支桿２及び背枠３に対して係合する。具体的には、側面視において湾曲している第一のカバー部材１０の湾曲の程度が緩められた変形（言い換えると、湾曲している形状が押し広げられた変形）が元に戻ろうとする弾性力が発揮される。
【００５１】
弾性力が発揮されることにより、前カバー部１１の左右方向における中間部分が背枠３の背枠固定部３Ｂの前面に押し付けられると共に左右両端部の上側係止部１３，１３が下枠フレーム３ｅの後面に押し付けられ、さらに、下側係止部１４が背支桿２の背支桿固定部２Ｂに押し付けられると共に左右一対の上側係止部１３，１３が背枠３の下枠フレーム３ｅに押し付けられる。
【００５２】
前カバー部１１の左右方向における中間部分及び左右両端部の上側係止部１３，１３を介して発揮される弾性力は左右方向に分布する作用点に於いて発揮される拘束力であると言え、また、下側係止部１４及び上側係止部１３を介して発揮される弾性力は上下方向／前後方向に分布する作用点に於いて発揮される拘束力であると言え、これら相互に直交する二方向において発揮される面的な拘束力により、第一のカバー部材１０は背支桿２及び背枠３に対して確りと固定されてがたつきが発生しないように取り付けられる。
【００５３】
次に、背支桿２の後方に於いて、第二のカバー部材２０の後カバー部２１の前面の上端部に設けられる左右一対の係止爪部２２，２２が背枠３の背枠固定部３Ｂの上面に掛けられて係止される。
【００５４】
図に示す例では、背枠３の背枠固定部３Ｂの上面に、第二のカバー部材２０の左右一対の係止爪部２２，２２を係止させるための左右一対の穴部３ｇ，３ｇが設けられる。
【００５５】
左右一対の係止爪部２２，２２が背枠固定部３Ｂに掛けられて係止された状態で、後カバー部２１の前面に設けられる左右一対の係合凹部２３，２３が第一のカバー部材１０の前カバー部１１の後面に設けられる左右一対の係合凸部１２，１２と嵌合させられる。
【００５６】
上記により、第二のカバー部材２０は、後カバー部２１が背枠３の背枠固定部３Ｂに係止すると共に第一のカバー部材１０の前カバー部１１と嵌合することにより、第一のカバー部材１０との間に背枠３の背枠固定部３Ｂ及び背支桿２を挟んだ状態で、第一のカバー部材１０に対して組み付けられる。
【００５７】
背支桿２に対して固定されて取り付けられる背枠３の背枠固定部３Ｂに対して連結されると共に背支桿２及び背枠３に対して確りと固定されて取り付けられる第一のカバー部材１０に対して連結されることにより、第二のカバー部材２０は第一のカバー部材１０と共に背支桿２及び背枠３に対して確りと固定されてがたつきが発生しないように取り付けられる。
【００５８】
すなわち、背支桿２及び背枠３に対して第一のカバー部材１０が弾性力を利用して係止し、さらに、背枠３に対して係止する第二のカバー部材２０が第一のカバー部材１０と嵌合することにより、背支桿２及び背枠３と第一のカバー部材１０と第二のカバー部材２０とが一体に連結し結合して合体し、相互に確りと固定されてがたつきが発生しないように組み付けられる。
【００５９】
そして、これら第一のカバー部材１０と第二のカバー部材２０とにより、背部カバーが構成され、背支桿２や背枠３のうち椅子全体としての背面側に露出させたくない部分が覆われる。
【００６０】
なお、図に示す例では、第一のカバー部材１０の前カバー部１１の下端／前端から前方斜め下向き／前向きに延出する左右一対のサイドカバー部１１ａ，１１ａのがたつきを抑えると共に第二のカバー部材２０の後カバー部２１の下端／前端から前方斜め下向き／前向きに延出する左右一対のサイドカバー部２１ａ，２１ａのがたつきを抑えるため、左右一対のサイドカバー部２１ａ，２１ａ各々の前端寄りの位置に係止爪２１ｂ及びねじ穴２１ｃが設けられ、第一のカバー部材１０の左右一対のサイドカバー部１１ａ，１１ａを座４のアウターシェル４ａとの間に挟んだ状態で第二のカバー部材２０のサイドカバー部２１ａの係止爪２１ｂが座４のアウターシェル４ａの下方から差し込まれて係止すると共にねじ穴２１ｃからねじが差し込まれてねじ止めされることによって第二のカバー部材２０のサイドカバー部２１ａが座４のアウターシェル４ａに固定されるようにしている。しかしながら、上述した通り第一のカバー部材１０の左右一対のサイドカバー部１１ａ，１１ａや第二のカバー部材２０の左右一対のサイドカバー部２１ａ，２１ａはデザイン上の構造として（言い換えると、本発明としての作用を奏させるために必要な構成ではない構造として）設けられているものであり、これらサイドカバー部１１ａ，１１ａ及び２１ａ，２１ａを有しない形態であっても前カバー部１１及び後カバー部２１が背支桿２及び背枠３に対して確りと固定されてがたつきが発生しないように取り付けられるという効果は奏される。
【００６１】
以上のように構成された椅子のカバーの取付構造や椅子によれば、背枠３と第一のカバー部材と第二のカバー部材とが一体に連結し結合して合体し、相互に確りと固定されてがたつきが発生しないように組み付けることができる。このため、追加的な部品を用いること無く、椅子を使用する際の快適性の向上や良好な外観の創出が可能になる。
【００６２】
なお、椅子のカバーの取付構造に関する上述の実施形態は本発明を実施する際の好適な形態の一例ではあるものの本発明の実施の形態が上述のものに限定されるものではなく、本発明の要旨を逸脱しない範囲において本発明は種々変形実施可能である。
【００６３】
例えば、上述の実施形態では椅子のカバーの取付構造の実施形態の一例が図１などに示す椅子の座及び背凭れに関連する構造に対して適用されている場合を例に挙げて説明したが、本発明に係る椅子のカバーの取付構造が適用され得る座や背凭れに関連する構造は実施形態として図に示される例に限られるものではなく、種々の形態を備える座や背凭れに関連する構造に対して本発明は適用され得る。さらに言えば、本発明に係る椅子のカバーの取付構造が適用され得る椅子の構成要素は座や背凭れに限られるものではなく、椅子を構成する種々の部材や要素に対して本発明は適用され得る。
【００６４】
また、上述の実施形態では第一のカバー部材１０と第二のカバー部材２０との間に背支桿２の一部並びに背枠３の一部（具体的には、支持アーム２Ａの湾曲部２ｅ，上側部分２ｆ，及び取付部２Ｃ並びに背枠固定部３Ｂ）を挟んでこれらを覆うようにしているが、第一のカバー部材１０と第二のカバー部材２０とによって覆われる部材／領域は上述の実施形態における部材／領域に限定されるものではなく、背支桿２や背枠３などの、背部を構成する部材のうちの少なくとも一部を覆う構造として本発明は適用され得る。さらに言えば、背部に限らず、椅子を構成する種々の部材や要素のうちの少なくとも一部を覆う構造として本発明は適用され得る
【００６５】
上記も踏まえ、上述の実施形態における背枠３を背凭れ構成部材として捉えると共に図に示す例の具体的な構造に限定されないものとして本発明の構成を捉えることにより、本発明の要点は以下のように整理される。すなわち、本発明に係る椅子のカバーの取付構造は（尚、下記では、上述の実施形態において対応する構成を括弧内に記載する）、背凭れ構成部材（背枠３）の下部（背枠固定部３Ｂ）の前面に上側部分の左右方向における中間部分が押し当てられ且つ上端の左右両端部の突出片（上側係止部１３，１３）が背凭れ構成部材（背枠３）の下部（下枠フレーム３ｅ）の後面側へと回り込んで係止して弾性力を発揮すると共に背凭れ構成部材（背枠３）と連結する背支桿（背支桿２）に下端部（下側係止部１４の係止部１４ａ）が係止して弾性力を発揮して係合する第一のカバー部材（第一のカバー部材１０）と、背凭れ構成部材（背枠３）の下部（背枠固定部３Ｂ）に対して係止すると共に第一のカバー部材（第一のカバー部材１０）との間に背凭れ構成部材（背枠３）の少なくとも一部（背枠固定部３Ｂ）及び背支桿（背支桿２）の少なくとも一部（支持アーム２Ａの湾曲部２ｅ，上側部分２ｆ，及び取付部２Ｃ）を挟んだ状態で第一のカバー部材（第一のカバー部材１０）と嵌合する第二のカバー部材（第二のカバー部材２０）とを有するものである。
【００６６】
また、上述の実施形態における背支桿２及び背枠３を椅子の構成部材として捉えると共に弾性力の発揮のされ方に着目することにより、本発明の要点は以下のように整理される。すなわち、本発明に係る椅子のカバーの取付構造は（尚、下記では、上述の実施形態において対応する構成を括弧内に記載する）、椅子の構成部材（背支桿２，背枠３）に対して左右方向に分布する作用点に於いて弾性力を発揮すると共に前後方向に分布する作用点に於いて弾性力を発揮して係合する第一のカバー部材（第一のカバー部材１０）と、椅子の構成部材（背枠３の背枠固定部３Ｂ）に対して係止すると共に第一のカバー部材（第一のカバー部材１０）との間に椅子の構成部材（背支桿２，背枠３）の少なくとも一部（支持アーム２Ａの湾曲部２ｅ，上側部分２ｆ，及び取付部２Ｃ並びに背枠固定部３Ｂ）を挟んだ状態で第一のカバー部材（第一のカバー部材１０）と嵌合する第二のカバー部材（第二のカバー部材２０）とを有するものである。
【符号の説明】
【００６７】
１    基部天板フレーム
２    背支桿
２Ａ  支持アーム
２Ｂ  背支桿固定部
２Ｃ  取付部
２ｄ  下側部分
２ｅ  湾曲部
２ｆ  上側部分
３    背枠
３Ａ  フレーム部
３Ｂ  背枠固定部
３ｃ  左枠フレーム，右枠フレーム
３ｄ  上枠フレーム
３ｅ  下枠フレーム
３ｆ  凹み
３ｇ  穴部
４    座
４ａ  アウターシェル
４ｂ  座受部材
４ｃ  クッション
１０    第一のカバー部材
１１    前カバー部
１１ａ  サイドカバー部
１２    係合凸部
１３    上側係止部
１４    下側係止部
１４ａ  係止部
２０    第二のカバー部材
２１    後カバー部
２１ａ  サイドカバー部
２１ｂ  係止爪
２１ｃ  ねじ穴
２２    係止爪部
２３    係合凹部
【図１】
2020062348.tif 000003
【図２】
2020062348.tif 000004
【図３】
2020062348.tif 000005
【図４】
2020062348.tif 000006
【図５】
2020062348.tif 000007
【図６】
2020062348.tif 000008
【図７】
2020062348.tif 000009
【図８】
2020062348.tif 000010